(57)【要約】【課題】デジタルテレビによって画面上に表示されるポインタの位置と、ポインティングデバイス使用機器によって画面上に表示されるポインタの位置との両方を一台のリモートコントローラを用いて遠隔操作する。【解決手段】本発明は、デジタルテレビ放送受信装置１６によって画面上に表示された第１のポインタの位置と、コンピュータ１８によって画面上に表示された第２のポインタの位置とを遠隔から操作するリモートコントローラ操作装置１０であって、利用者からの操作入力に基づいて、第１または第２のポインタの移動先位置を指定する指定信号を生成し、この指定信号を送信するリモートコントローラ１２と、リモートコントローラ１２から送信された指定信号に基づいて、デジタルテレビ放送受信装置１６またはコンピュータ１８を操作し、画面上の第１または第２のポインタの位置を移動先位置に移動させる制御ユニット１４とを備えている。【選択図】      図１
2005260718.tif 000002
【特許請求の範囲】
【請求項１】
デジタルテレビ放送によって画面上に表示された第１のポインタの位置と、デジタルテレビ以外のポインティングデバイス使用機器によって前記画面上に表示された第２のポインタの位置とを遠隔から操作するリモートコントローラ操作装置であって、
利用者からの操作入力に基づいて、前記第１または第２のポインタの移動先位置を指定する指定信号を生成し、この指定信号を送信するリモートコントローラと、
前記リモートコントローラから送信された指定信号に基づいて、前記デジタルテレビまたはポィンティングデバイス使用機器を操作し、画面上の前記第１または第２のポインタの位置を前記移動先位置に移動させる制御ユニットと
を備えたリモートコントローラ操作装置。
【請求項２】
請求項１に記載のリモートコントローラ操作装置において、
前記リモートコントローラは、
前記第１または第２のポインタの移動先方向に対応してそれぞれ備えられ、前記利用者に操作されることによって、前記操作入力として、前記第１または第２のポインタの移動先方向を指示する指示入力がなされるようにした４つの方向指示ボタンと、
前記方向指示ボタンになされた指示入力に基づいて、前記第１または第２のポインタの移動先位置を指定する指定信号を生成する第１の指定信号生成手段と、
前記第１の指定信号生成手段によって生成された指定信号を前記制御ユニットに送信する第１の送信手段と
を備えたリモートコントローラ操作装置。
【請求項３】
請求項１または請求項２に記載のリモートコントローラ操作装置において、
前記リモートコントローラは、
前記利用者によって回転操作されることによって、その回転方向と回転量とを、前記第２のポインタの移動先位置を指定するための前記操作入力として受け付けるトラックボールと、
前記トラックボールによって受け付けられた回転方向と回転量とに基づいて、前記第２のポインタの移動先位置を指定する指定信号を生成する第２の指定信号生成手段と、
前記第２の指定信号生成手段によって生成された指定信号を前記制御ユニットに送信する第２の送信手段と
を備えたリモートコントローラ操作装置。
【請求項４】
請求項３に記載のリモートコントローラ操作装置において、
前記各方向指示ボタンを、それぞれの指示方向に対応させて、前記トラックボールの周囲を取り囲むようにそれぞれ配置してなるリモートコントローラ操作装置。
【請求項５】
請求項１乃至４のうち何れか１項に記載のリモートコントローラ操作装置において、
前記制御ユニットは、
前記送信された指定信号を受信する受信手段と、
前記受信手段によって受信された指定信号に基づいて、対応するポインタの位置の移動方向および移動量を指定した移動信号を生成する移動信号生成手段と、
前記移動信号生成手段によって生成された移動信号に基づいて、前記対応するポインタを前記画面上に表示しているデジタルテレビまたは前記デジタルテレビ以外のポインティングデバイス使用機器を操作し、このポインタの位置を前記移動先位置に移動させる移動手段と
を備えたリモートコントローラ操作装置。
【請求項６】
請求項１乃至５のうち何れか１項に記載のリモートコントローラ操作装置において、
前記デジタルテレビ以外のポインティングデバイス使用機器を、コンピュータとしたリモートコントローラ操作装置。
【発明の詳細な説明】
【技術分野】
【０００１】
本発明は、ホテルや旅館等の宿泊施設、あるいは病院施設等で、不特定多数の利用者が利用するデジタルテレビ放送受信装置や、コンピュータ等のデジタルテレビ放送受信装置以外のポインティングデバイス使用機器を遠隔操作するためのリモートコントローラ操作装置に関する。
【背景技術】
【０００２】
ＢＳデジタル放送・１１０°ＣＳデジタル放送および地上波デジタル放送等が受信可能なテレビ受像機やデジタルチューナ等であるデジタルテレビ放送受信装置では、画面上に表示されるポインタの位置を操作するためにリモートコントローラが用いられている。
【０００３】
この種のリモートコントローラは、例えば特許文献１に示すように、４方向の方向指示ボタンを備えている。利用者は、この方向指示ボタンを操作して方向を指示することによって、その指示信号が赤外線によってテレビ側に送信され、画面上に表示されたポインタの位置を操作することができる。
【０００４】
また、パソコン等のデジタルテレビ以外のポインティングデバイス使用機器について画面上から表示される入力箇所を示すポインタの位置を操作するためには、方向指示ボタンだけではきめ細かい操作を行うのに十分ではないので、更にマウス、トラックパッド、トラックボールに代表されるポィンティングデバイスが使用されている。
【０００５】
このように、画面上に表示されたポインタの位置を操作する場合には、操作対象に適したデバイスがそれぞれ使用されている。
【特許文献１】特願２００２−２３２７３７号公報
【発明の開示】
【発明が解決しようとする課題】
【０００６】
さて、ＩＴ化やデジタル化の普及が進むに伴い、旅館やホテル等の宿泊施設や病院施設等でも、客室や病室にコンピュータを備えてインターネット可能な環境を整えたり、デジタル放送の受信可能なテレビの導入等が進められている。
【０００７】
しかしながら、上述したように、デジタルテレビ用とコンピュータ用とでは、画面上に表示されるポインタの位置を操作するためにそれぞれ別の装置が用いられている。このため、客室や病室といった限られた空間の中であるにもかかわらず、更にそれぞれの操作のための場所が必要になるという問題がある。
【０００８】
更に、客室や病室は、短期間に不特定多数の利用者が利用するものであるために、備品であるこれら装置の操作性は、可能な限り容易であることが望ましい。そうでなければ利用者の満足度を高めることができず、サービスの向上に寄与しないからである。しかしながら、デジタルテレビ用とコンピュータ用とで、それぞれ別の位置操作装置を使用していることから、利用者は、両方の装置をそれぞれ操作しなくてはならない。このため、使い勝手が悪く、利用者に不便さを感じさせる恐れがあるという問題がある。
【０００９】
本発明はこのような事情に鑑みてなされたものであり、デジタルテレビによって画面上に表示されるポインタの位置と、コンピュータのようなデジタルテレビ以外のポインティングデバイス使用機器によって画面上に表示されるポインタの位置との両方を、一台のリモートコントローラを用いて遠隔操作することを可能としたリモートコントローラ操作装置を提供することを目的とする。
【課題を解決するための手段】
【００１０】
上記の目的を達成するために、本発明では、以下のような手段を講じる。
【００１１】
すなわち、請求項１の発明は、デジタルテレビ放送によって画面上に表示された第１のポインタの位置と、デジタルテレビ以外のポインティングデバイス使用機器によって画面上に表示された第２のポインタの位置とを遠隔から操作するリモートコントローラ操作装置であって、利用者からの操作入力に基づいて、第１または第２のポインタの移動先位置を指定する指定信号を生成し、この指定信号を送信するリモートコントローラと、リモートコントローラから送信された指定信号に基づいて、デジタルテレビまたはポィンティングデバイス使用機器を操作し、画面上の前記第１または第２のポインタの位置を前記移動先位置に移動させる制御ユニットとを備えている。
【００１２】
また、請求項２の発明は、請求項１の発明のリモートコントローラ操作装置において、リモートコントローラは、第１または第２のポインタの移動先方向に対応してそれぞれ備えられ、利用者に操作されることによって、操作入力として、第１または第２のポインタの移動先方向を指示する指示入力がなされるようにした４つの方向指示ボタンと、方向指示ボタンになされた指示入力に基づいて、第１または第２のポインタの移動先位置を指定する指定信号を生成する第１の指定信号生成手段と、第１の指定信号生成手段によって生成された指定信号を制御ユニットに送信する第１の送信手段とを備えている。
【００１３】
請求項３の発明は、請求項１または請求項２の発明のリモートコントローラ操作装置において、リモートコントローラは、利用者によって回転操作されることによって、その回転方向と回転量とを、第２のポインタの移動先位置を指定するための操作入力として受け付けるトラックボールと、トラックボールによって受け付けられた回転方向と回転量とに基づいて、第２のポインタの移動先位置を指定する指定信号を生成する第２の指定信号生成手段と、第２の指定信号生成手段によって生成された指定信号を制御ユニットに送信する第２の送信手段とを備えている。
【００１４】
請求項４の発明は、請求項３の発明のリモートコントローラ操作装置において、各方向指示ボタンを、それぞれの指示方向に対応させて、トラックボールの周囲を取り囲むようにそれぞれ配置している。
【００１５】
請求項５の発明は、請求項１乃至４のうち何れか１項の発明のリモートコントローラ操作装置において、制御ユニットは、送信された指定信号を受信する受信手段と、受信手段によって受信された指定信号に基づいて、対応するポインタの位置の移動方向および移動量を指定した移動信号を生成する移動信号生成手段と、移動信号生成手段によって生成された移動信号に基づいて、対応するポインタを画面上に表示しているデジタルテレビまたはデジタルテレビ以外のポインティングデバイス使用機器を操作し、このポインタの位置を移動先位置に移動させる移動手段とを備えている。
【００１６】
請求項６の発明は、請求項１乃至５のうち何れか１項の発明のリモートコントローラ操作装置において、デジタルテレビ以外のポインティングデバイス使用機器を、コンピュータとしている。
【発明の効果】
【００１７】
本発明によれば、デジタルテレビ画面上に表示されるポインタの位置と、コンピュータのようなデジタルテレビ以外のポインティングデバイス使用機器の画面上に表示されるポインタの位置との両方を、一台のリモートコントローラを用いて遠隔から操作することができる。
【００１８】
以上により使い勝手が向上するために、客室や病室といった限られた空間の中であるにもかかわらず、利用者がさほど不便さを感じずに操作することが可能となる。
【発明を実施するための最良の形態】
【００１９】
以下に、本発明を実施するための最良の形態について図面を参照しながら説明する。
【００２０】
図１は、本発明の実施の形態に係るリモートコントローラ操作装置の適用例を示すブロック図である。
【００２１】
すなわち、本発明の実施の形態に係るリモートコントローラ操作装置１０は、リモートコントローラ（以下、「リモコン」と称する）１２と、制御ユニット１４とを備えている。リモコン１２は、携帯可能な構成としており、種々の操作信号を制御ユニット１４に送信する。制御ユニット１４は、ＢＳデジタル放送・１１０°ＣＳデジタル放送や地上波デジタル放送を受信するデジタルテレビ放送受信装置１６、およびコンピュータ１８のようなデジタルテレビ以外のポインティングデバイス使用機器に接続されており、リモコン１２から送信された操作信号を受信し、この操作信号に応じてデジタルテレビ放送受信装置１６やデジタルテレビ以外のポインティングデバイス使用機器を制御する。ここでは、ポインティングデバイス使用機器として、インターネットへのアクセスや映画などのビデオオンデマンド操作を可能とするコンピュータ１８を例に説明する。このコンピュータ１８と、デジタルテレビ放送受信装置１６とは、例えばホテルや旅館といった宿泊施設の客室や、病院の病室にセットで設置され、画面を共有している。
【００２２】
なお、図１では、制御ユニット１４を、デジタルテレビ放送受信装置１６およびコンピュータ１８の外部に設置した例を示しているが、制御ユニット１４は、デジタルテレビ放送受信装置１６およびコンピュータ１８の外部に設置する場合に限られるものではなく、デジタルテレビ放送受信装置１６やコンピュータ１８に内臓させた構成としても良い。
【００２３】
図２は、リモコン１２の一例を示す外観図である。リモコン１２は、コンピュータ１８用のポインティングデバイスであるトラックボール２２を中心に備えている。そして、その周囲には、トラックボール２２を取り囲むように、デジタルテレビ放送受信装置１６またはコンピュータ１８によって画面上に表示されるポインタの位置の移動方向を指示するための４つの方向指示ボタン２０（＃１〜＃４）を等間隔で備えている。トラックボール２２の上側に備えられた方向指示ボタン２０（＃１）は、上方向への移動を指示するものであり、同様に、トラックボール２２の右側に備えられた方向指示ボタン２０（＃２）は右方向、トラックボール２２の下側に備えられた方向指示ボタン２０（＃３）は下方向、トラックボール２２の左側に備えられた方向指示ボタン２０（＃３）は左方向への移動をそれぞれ指示するものである。
【００２４】
また、このリモコン１２は、デジタルテレビ放送受信装置１６を制御する機能として電源スイッチ３１、チャンネル選局を行うための数字ボタン３２、画面から表示される画像を外部からのデジタル放送からの映像にするか、図示しない内蔵ビデオプレーヤからの映像にするかの切換を行う入力切換ボタン３３、音量調整ボタン３４などに加え、画面表示ボタン３６、メッセージ表示要求ボタン３８、オフタイマーボタン４０、バレンタルロックボタン４２、ミュートボタン４４、字幕切換ボタン４６、映像切換ボタン５０、音声切換ボタン５２、サラウンド設定ボタン５４、データ表示ボタン５６、番組表表示ボタン５８、番組情報表示ボタン６０、放送切換ボタン６２、有料確認ボタン６４、有料チャンネル選択ボタン６６、無料チャンネル選択ボタン６８等を備えている。
【００２５】
更に、リモコン１２は、コンピュータ１８からの画像を画面から表示する場合と、デジタルテレビ放送受信装置１６からの画像を画面から表示する場合とを切り換えるＰＣ／テレビ切換ボタン３０を備えており、このＰＣ／テレビ切換ボタン３０を押すことによって、コンピュータ１８からの画像が表示されていた画面を、テレビからの画像が表示された画面に切り換える。更に、もう一度ＰＣ／テレビ切換ボタン３０を押すことによって、テレビからの画像が表示されている画面を、コンピュータ１８からの画像が表示された画面に切り換える。
【００２６】
また、上記各ボタンは、必ずしもデジタルテレビ放送受信装置１６のみに対して作用するものではなく、コンピュータ１８に該当する機能がある場合には、この機能に対しても適宜作用するものである。例えば、画面からコンピュータ１８の画像が表示されている場合に電源スイッチ３１を押すと、コンピュータ１８の電源がオフされる。
【００２７】
ＰＣ／テレビ切換ボタン３０を除く上記各ボタンは、一般的なデジタルテレビ放送受信装置に設けられているので、以下ではこれらの説明を省略し、方向指示ボタン２０とトラックボール２２の制御に関連する構成のみについて説明する。
【００２８】
図３は、リモコン１２における方向指示ボタン２０とトラックボール２２に関連する機能構成を示すブロック図である。
【００２９】
リモコン１２は、方向指示ボタン２０とトラックボール２２からの指示を制御ユニット１４に送るために指定信号生成部２４と赤外線出力部２６とを備えている。なお、方向指示ボタン２０は例えば４つ備えているが、図３では、代表的に１つの方向指示ボタン２０のみを記載している。
【００３０】
利用者によって、方向指示ボタン２０（＃１〜＃４）のうちの何れが操作されると、操作された方向指示ボタン２０は、操作信号を指定信号生成部２４に出力する。
【００３１】
また、利用者によって、トラックボール２２が回転操作されると、トラックボール２２は、その回転方向と回転量とに対応した操作信号を指定信号生成部２４に出力する。
【００３２】
指定信号生成部２４は、操作信号を出力した方向指示ボタン２０に基づいて、画面上に表示されるポインタの移動先位置を指定する指定信号を生成する。例えば、方向指示ボタン２０（＃１）から操作信号が出力された場合には、指定信号生成部２４は、デジタルテレビ放送受信装置１６またはコンピュータ１８からの画像が表示されている画面上に表示されるポインタを、画面内における上方向に移動させるための指定信号を生成する。また、指定信号生成部２４は、トラックボール２２からの操作信号に基づいて、コンピュータ１８からの画像が表示されている画面上に表示されるポインタの移動先位置を指定する指定信号を生成する。
【００３３】
赤外線出力部２６は、このようにして指定信号生成部２４によって生成された指定信号を、赤外線によって制御ユニット１４側に送信する。
【００３４】
制御ユニット１４は、図４にそのブロック図の一例を示すように、受光・復調部７０と、変換部７２と、出力端子７１，７５，７７，７９とを備えている。
【００３５】
受光・復調部７０は、赤外線出力部２６から赤外線によって送信された指定信号を受信し、この指定信号を、操作信号に復調し、出力端子７１および変換部７２へと出力する。出力端子７１は、デジタルテレビ放送受信装置１６の制御端子（図示せず）に接続される部位である。これによって、受光・復調部７０から出力された操作信号は、出力端子７１およびこの制御端子を介してデジタルテレビ放送受信装置１６へと入力される。受光・復調部７０から出力端子７１に送られる操作信号は、方向指示ボタン２０からのものと、トラックボール２２からのものとがあるが、デジタルテレビ放送受信装置１６は、方向指示ボタン２０からの操作信号に対してのみ制御され、トラックボール２２からの操作信号が入力されても無視する。これによって、デジタルテレビ放送受信装置１６からの画像が表示された画面上のポインタを、画面内において移動させるようにしている。
【００３６】
変換部７２は、更にＵＳＢ変換部７４と、ＰＳ／２マウス変換部７６と、ＰＳ／２キーボード変換部７８とを備えている。変換部７２に出力された操作信号は、ＵＳＢ変換部７４とＰＳ／２マウス変換部７６とＰＳ／２キーボード変換部７８との全てに対して入力されるようにしている。
【００３７】
ＵＳＢ変換部７４は、受光・復調部７０から入力された操作信号を、ＵＳＢのシリアル信号に変換し、変換したシリアル信号を出力端子７５から出力する。
【００３８】
ＰＳ／２マウス変換部７６は、受光・復調部７０から入力された操作信号を、マウス信号に変換し、変換したマウス信号を出力端子７７から出力する。
【００３９】
ＰＳ／２キーボード変換部７８は、受光・復調部７０から入力された操作信号を、キーボード信号に変換し、変換したキーボード信号を出力端子７９から出力する。
【００４０】
出力端子７５，７７，７９は、それぞれコンピュータ１８のＵＳＢ入力端子、マウス入力端子、キーボード入力端子（ともに図示せず）に接続される部位である。これによって、受光・復調部７０から出力された操作信号は、出力端子７５，７７，７９、およびそれらに対応するＵＳＢ入力端子、マウス入力端子、キーボード入力端子を介してコンピュータ１８へと入力される。
【００４１】
受光・復調部７０から変換部７２へ送られる操作信号は、方向指示ボタン２０からのものと、トラックボール２２からのものとがあるが、コンピュータ１８は、トラックボール２２からの操作信号によっても、方向指示ボタン２０からの操作信号によっても制御される。これによって、コンピュータ１からの画像が表示された画面上のポインタを、画面内において移動させるようにしている。
【００４２】
なお、出力端子７５，７７，７９は、それぞれその全てが、対応するコンピュータ１８側の端子に接続される必要はなく、コンピュータ１８が、ＵＳＢ入力端子を備えている場合には、このＵＳＢ入力端子を出力端子７５に接続する。これによって、出力端子７５から出力されるシリアル信号に基づいて、コンピュータ１８を制御し、画面上に表示されるポインタを、画面内において移動させる。
【００４３】
また、このコンピュータ１８が、ＵＳＢ入力端子を備えておらず、マウス入力端子とキーボード入力端子を備えている場合には、このマウス入力端子およびキーボード入力端子を、出力端子７７および出力端子７９にそれぞれ接続する。これによって、出力端子７７から出力されるマウス信号、および出力端子７９から出力されるキーボード信号に基づいて、コンピュータ１８を制御し、画面上に表示されるポインタを、画面内において移動させる。
【００４４】
次に、以上のように構成した本発明の実施の形態に係るリモートコントローラ操作装置の動作について図５および図６のフローチャートを用いて説明する。
【００４５】
まず、利用者は、リモコン１２のＰＣ／テレビ切換ボタン３０によって、画面から表示される画像を、デジタルテレビ放送受信装置１６からのものとするか、コンピュータ１８からのものとするかを選択する（Ｓ１）。
【００４６】
利用者は、デジタルテレビ放送受信装置１６によって画面上に表示されたポインタを移動させたい場合（Ｓ１：Ｙｅｓ）、（Ｓ２：Ｙｅｓ）には、移動したい方向の方向指示ボタン２０を押す（Ｓ３）。例えば、ポインタを画面上の上方向に移動したい場合には、方向指示ボタン２０（＃１）を、右方向に移動したい場合には方向指示ボタン２０（＃２）を、下方向に移動したい場合には方向指示ボタン２０（＃３）を、左方向に移動したい場合には方向指示ボタン２０（＃４）を押す。
【００４７】
すると、操作された方向指示ボタン２０から、指定信号生成部２４へと操作信号が出力される。指定信号生成部２４では、操作信号の出力元の方向指示ボタン２０に基づいて、デジタルテレビ放送受信装置１６によって画面上に表示されたポインタの移動先位置を指定する指定信号が生成される（Ｓ４）。
【００４８】
この指定信号は、赤外線出力部２６から、制御ユニット１４側へと送信され、制御ユニット１４の受光・復調部７０によって受信される（Ｓ５）。受光・復調部７０ではさらに、この指定信号が操作信号へと復調される。そして、この復調された操作信号が、出力端子７１を介してデジタルテレビ放送受信装置１６へと出力される（Ｓ６）。この操作信号に基づいてデジタルテレビ放送受信装置１６が制御され、画面上に表示されるポインタが、操作信号に対応した方向に向かって移動する（Ｓ７）。
【００４９】
一方、ステップＳ１において、コンピュータ１８が選択された場合（Ｓ１：コンピュータ）について説明する。
【００５０】
利用者は、コンピュータ１８によって画面上に表示されたポインタを移動させたい場合（Ｓ１１：Ｙｅｓ）には、移動したい方向に、移動したい量に相当する回転量でトラックボール２２を回転させるか、またはステップＳ１と同様に、移動したい方向の方向指示ボタン２０を押す（Ｓ１２）。トラックボール２２が回転操作された場合には、トラックボール２２によって、その回転方向と回転量とに対応した操作信号が生成され、指定信号生成部２４へと出力される。また、方向指示ボタン２０が操作された場合には、この方向指示ボタン２０から、指定信号生成部２４へと操作信号が出力される。すると、指定信号生成部２４では、トラックボール２２、あるいは方向指示ボタン２０からの操作信号に基づいて、コンピュータ１８の画面上に表示されるポインタの移動先位置を指定する指定信号が生成される（Ｓ１３）。
【００５１】
この指定信号は、赤外線出力部２６から、制御ユニット１４側へと送信され、制御ユニット１４の受光・復調部７０によって受信される（Ｓ１４）。受光・復調部７０ではさらに、この指定信号が操作信号へと復調される。そして、この復調された操作信号が、変換部７２へと出力される（Ｓ１５）。
【００５２】
変換部７２には、ＵＳＢ変換部７４と、ＰＳ／２マウス変換部７６と、ＰＳ／２キーボード変換部７８とが備えられており、変換部７２に出力された操作信号は、ＵＳＢ変換部７４とＰＳ／２マウス変換部７６とＰＳ／２キーボード変換部７８との全てに対して入力される。そして、ＵＳＢ変換部７４では、受光・復調部７０から入力された操作信号が、ＵＳＢのシリアル信号に変換され、変換されたシリアル信号が出力端子７５から出力される。ＰＳ／２マウス変換部７６では、受光・復調部７０から入力された操作信号が、マウス信号に変換され、変換されたマウス信号が出力端子７７から出力される。ＰＳ／２キーボード変換部７８では、受光・復調部７０から入力された操作信号がキーボード信号に変換され、変換されたキーボード信号が出力端子７９から出力される（Ｓ１６）。
【００５３】
コンピュータ１８がＵＳＢ入力端子を備えている場合には、このＵＳＢ入力端子を出力端子７５に接続する。これによって、出力端子７５から出力されるシリアル信号に基づいて、コンピュータ１８が制御され、画面上に表示されるポインタが、画面内において移動される。また、このコンピュータ１８が、ＵＳＢ入力端子を備えておらず、マウス入力端子とキーボード入力端子を備えている場合には、このマウス入力端子およびキーボード入力端子を、出力端子７７および出力端子７９にそれぞれ接続する。これによって、出力端子７７から出力されるマウス信号、および出力端子７９から出力されるキーボード信号に基づいて、コンピュータ１８が制御され、画面上に表示されるポインタが、画面内において移動する（Ｓ１７）。
【００５４】
上述したように、本発明の実施の形態に係るリモートコントローラ操作装置においては、上記のような作用により、デジタルテレビ放送受信装置１６によって画面上に表示されたポインタの位置と、コンピュータ１８によって画面上に表示されたポインタの位置との両方を、一台のリモコン１２を用いて遠隔から操作することができる。
【００５５】
以上により、使い勝手が向上するために、客室や病室といった限られた空間の中であるにもかかわらず、利用者がさほど不便さを感じずに操作することが可能となる。
【００５６】
以上、本発明の好適な実施の形態について、添付図面を参照しながら説明したが、本発明はかかる構成に限定されない。特許請求の範囲に記載された技術的思想の範疇において、当業者であれば、各種の変更例及び修正例に想到し得るものであり、それら変更例及び修正例についても本発明の技術的範囲に属するものと了解される。
【図面の簡単な説明】
【００５７】
【図１】本発明の実施の形態に係るリモートコントローラ操作装置の適用例を示すブロック図。
【図２】リモコンの一例を示す外観図。
【図３】リモコンにおける方向指示ボタンとトラックボールに関連する機能構成を示すブロック図。
【図４】制御ユニットの一例を示すブロック図。
【図５】本発明の実施の形態に係るリモートコントローラ操作装置の動作を示すフローチャート（デジタルテレビ画面におけるポインタの位置を移動させる場合）。
【図６】本発明の実施の形態に係るリモートコントローラ操作装置の動作を示すフローチャート（コンピュータ画面におけるポインタの位置を移動させる場合）。
【符号の説明】
【００５８】
１０…リモートコントローラ操作装置、１２…リモートコントローラ、１４…制御ユニット、１６…デジタルテレビ放送受信装置、１８…コンピュータ、２０…方向指示ボタン、２２…トラックボール、２４…指定信号生成部、２６…赤外線出力部、３０…ＰＣ／テレビ切換ボタン、３１…電源スイッチ、３２…数字ボタン、３３…入力切換ボタン、３４…音量調整ボタン、３６…画面表示ボタン、３８…メッセージ表示要求ボタン、４０…オフタイマーボタン、４２…バレンタルロックボタン、４４…ミュートボタン、４６…字幕切換ボタン、５０…映像切換ボタン、５２…音声切換ボタン、５４…サラウンド設定ボタン、５６…データ表示ボタン、５８…番組表表示ボタン、６０…番組情報表示ボタン、６２…放送切換ボタン、６４…有料確認ボタン、６６…有料チャンネル選択ボタン、６８…無料チャンネル選択ボタン、７０…受光・復調部、７１…出力端子、７２…変換部、７４…ＵＳＢ変換部、７５…出力端子、７６…マウス変換部、７７…出力端子、７８…キーボード変換部、７９…出力端子
【図１】
2005260718.tif 000003
【図２】
2005260718.tif 000004
【図３】
2005260718.tif 000005
【図４】
2005260718.tif 000006
【図５】
2005260718.tif 000007
【図６】
2005260718.tif 000008